【手続補正書】
【提出日】平成22年10月4日(2010.10.4)
【手続補正１】
【補正対象書類名】特許請求の範囲
【補正対象項目名】全文
【補正方法】変更
【補正の内容】
【特許請求の範囲】
【請求項１】
棘突起拘束構造であって、
第１の棘突起に配置されるように適合される第１の取り付け要素と、
第２の棘突起に配置されるように適合される第２の取り付け要素と、
該第１の取り付け要素と該第２の取り付け要素とを接合する単一のコネクタと
を備える、構造。
【請求項２】
前記第１および第２の取り付け要素は、開いた鉤構造である、請求項１に記載の拘束構造。
【請求項３】
前記コネクタは、前記鉤をＳ字パターンで接合する横断要素である、請求項２に記載の拘束構造。
【請求項４】
前記拘束構造は、前記Ｓ字パターンに成形された連続した金属部品を備える、請求項３に記載の拘束構造。
【請求項５】
前記拘束構造は、前記Ｓ字パターンに成形された連続したポリマー構造を備える、請求項３に記載の拘束構造。
【請求項６】
前記コネクタは、前記鉤をＣ字パターンで接合する軸方向部材である、請求項２に記載の拘束構造。
【請求項７】
前記軸方向部材は、追従性部材を備える、請求項６に記載の拘束構造。
【請求項８】
前記第１および第２の取り付け要素は、前記棘突起の周りを完全に囲むループ構造である、請求項１〜７のいずれか１項に記載の拘束構造。
【請求項９】
前記単一のコネクタは、前記棘突起間の空間を通って横断して配置された横断要素を備える、請求項８に記載の拘束構造。
【請求項１０】
前記単一のコネクタは、前記棘突起の側面に平行に位置するように配置された軸方向部材を備える、請求項８に記載の拘束構造。
【請求項１１】
少なくとも１つの追従性部材を、前記軸方向部材上にさらに備える、請求項８に記載の拘束構造。
【請求項１２】
前記単一のコネクタは、前記棘上靱帯上に配置可能なエラストマー体を備える、請求項８に記載の拘束構造。
【請求項１３】
前記エラストマー体は、前記棘上靱帯に縫合されるように適合される、請求項９に記載の拘束構造。
【手続補正２】
【補正対象書類名】明細書
【補正対象項目名】００１１
【補正方法】変更
【補正の内容】
【００１１】
本発明は、例えば、以下を提供する：
（項目１）
棘突起拘束構造であって、
第１の棘突起に配置されるように適合される第１の取り付け要素と、
第２の棘突起に配置されるように適合される第２の取り付け要素と、
該第１の取り付け要素と該第２の取り付け要素とを接合する単一のコネクタと
を備える、構造。
（項目２）
上記第１および第２の取り付け要素は、開いた鉤構造である、項目１に記載の拘束構造。
（項目３）
上記コネクタは、上記鉤をＳ字パターンで接合する横断要素である、項目２に記載の拘束構造。
（項目４）
上記拘束構造は、上記Ｓ字パターンに成形された連続した金属部品を備える、項目３に記載の拘束構造。
（項目５）
上記拘束構造は、上記Ｓ字パターンに成形された連続したポリマー構造を備える、項目３に記載の拘束構造。
（項目６）
上記コネクタは、上記鉤をＣ字パターンで接合する軸方向部材である、項目２に記載の拘束構造。
（項目７）
上記軸方向部材は、追従性部材を備える、項目６に記載の拘束構造。
（項目８）
上記第１および第２の取り付け要素は、上記棘突起の周りを完全に囲むループ構造である、項目１に記載の拘束構造。
（項目９）
上記単一のコネクタは、上記棘突起間の空間を通って横断して配置された横断要素を備える、項目８に記載の拘束構造。
（項目１０）
上記単一のコネクタは、上記棘突起の側面に平行に位置するように配置された軸方向部材を備える、項目８に記載の拘束構造。
（項目１１）
少なくとも１つの追従性部材を、上記軸方向部材上にさらに備える、項目８に記載の拘束構造。
（項目１２）
上記単一のコネクタは、上記棘上靱帯上に配置可能なエラストマー体を備える、項目８に記載の拘束構造。
（項目１３）
上記エラストマー体は、上記棘上靱帯に縫合されるように適合される、項目９に記載の拘束構造。
（項目１４）
脊椎分節の屈曲を制限する方法であって、
第１の取り付け要素を第１の棘突起に配置することと、
第２の取り付け要素を、第２の棘突起または仙骨に配置することと
を含み、
該取り付け要素は、棘上靱帯に配置される弾性部材によって接合される、方法。
（項目１５）
上記弾性部材を上記棘上靱帯に取り付けることをさらに含む、項目１４に記載の方法。
（項目１６）
上記弾性部材は、上記棘上靱帯に縫合されるエラストマー体である、項目１５に記載の方法。
（項目１７）
上記棘上靱帯を貫通することをさらに含み、上記１つ以上の取り付け要素および／または弾性部材がそこを通って通過することを可能にする、項目１４に記載の方法。
（項目１８）
上記取り付け部材を上記棘突起および／または上記仙骨に取り付けることをさらに含む、項目１４に記載の方法。
（項目１９）
上記取り付け要素および弾性部材は、経皮的に導入される、項目１４に記載の方法。
（項目２０）
上記取り付け要素および弾性部材は、正中線の一方の側から横方向に導入される、項目１９に記載の方法。
（項目２１）
上記要素および部材は、正中線の一方の側からの後方アプローチにより導入される、項目１９に記載の方法。
（項目２２）
脊椎分節の屈曲を制限する方法であって、
第１の取り付け要素を第１の棘突起に配置することと、
第２の取り付け要素を、第２の棘突起または仙骨に配置することと
を含み、
該取り付け要素は、それらの間に延在する単一のコネクタによって接合される、方法。
（項目２３）
上記棘上靱帯を貫通することをさらに含み、上記１つ以上の取り付け要素および／または弾性部材がそこを通って通過することを可能にする、項目２２に記載の方法。
（項目２４）
上記取り付け部材を上記棘突起および／または上記仙骨に取り付けることをさらに含む、項目２２に記載の方法。
（項目２５）
上記取り付け要素および弾性部材は、経皮的に導入される、項目２２に記載の方法。
（項目２６）
上記取り付け要素および弾性部材は、正中線の一方の側から横方向に導入される、項目２５に記載の方法。
（項目２７）
上記要素および部材は、正中線の一方の側からの後方アプローチにより導入される、項目２５に記載の方法。
本発明は、椎間板起因の痛み、および医師が脊椎分節の屈曲を制御することが望ましいと考える脊椎すべり症など他の背骨の状態の治療のために、脊椎分節の屈曲を制限するための脊椎インプラントおよび方法を提供する。本発明によるシステムは、第１の棘突起に配置されるように適合される第１の取り付け要素と、第２の棘突起に配置されるように適合される第２の取り付け要素と、第１の取り付け要素と第２の取り付け要素とを接合する単一のコネクタとを備える棘突起拘束構造を含む。「単一のコネクタ」とは、このコネクタが第１の取り付け要素上の単一の箇所または位置を、第２の取り付け要素上の単一の箇所または位置に接合することを意味する。これに対して、例えば図２に示す従来のコネクタは一対の接続箇所を提供し、上側の部品１２を下側のストラップ部品１４に接合するために２つのコネクタが用いられる。第１および第２の取り付け要素同士の接合に単一コネクタを使用すると、望ましい対称的な取り付け形状が非相称になるような、取り付け部材の変位の可能性が減少する。単一のコネクタを使用すると、棘突起の対向する側に加わる弾性力を均衡させる必要性も減少する。単一のコネクタを使用すると、埋め込み中のインプラントの位置合わせも簡単になるので、経皮的な埋め込みが簡単になり、経皮的プロトコールおよび他の埋め込みプロトコールの両方において組織破壊を最小化できる可能性がある。